(57)【特許請求の範囲】
【請求項１】
押圧により開弁して内容物の流出を得る弁付き注出栓１と、該弁付き注出栓の周りに装着する伸縮弾性変形自在な内外二重周壁１５、１６間の環状内部空間４の先端面を形成する環状頂壁１４に、上記環状内部空間４へと連通する複数のエアノズル５を突設したマッサージ栓２とから成ることを特徴とする多機能注出栓。
【請求項２】
上記弁付き注出栓１につき、容器体ａの口部ｂ内周に嵌合させる注出栓本体６の頂壁７の中央に先端が弁孔８で該弁孔の内縁が弁座９の注出筒10を上方へと突設し、該注出筒内にその弁座９へ着座させる弁体11を可動に内装するとともに、該弁体の上端部中央から押圧突子12を突設して、該押圧突子を上記弁孔８に貫通遊挿させて外部へと突出させ、かつ、その弁体11の下端部にバネ13を付設して、該バネの基端部を上記注出栓本体６内下部に支持させた請求項１記載の多機能注出栓。
【請求項３】
上記マッサージ栓２につき、上記環状頂壁１４の内縁から垂設する内周壁１５を段階的に縮径して、該内周壁を上記注出筒１０の外周に嵌合させ、かつ、上記環状頂壁１４の外縁から垂設する外周壁１６を段階的に拡径して、該外周壁を上記注出栓本体６の上部外周に嵌合させ、また、上記複数のエアノズル５を上記環状頂壁１４に等間隔に配設して、これらのエアノズルを上記内周壁１５と外周壁１６との間の環状内部空間４へと連通させ、そして、それら全体をエラストマーにて一体成形し、更に、上記外周壁１６の下端部外周を上記容器体ａの口部ｂ外周に嵌合させる装着筒１７で押さえた請求項２記載の多機能注出栓。
【発明の詳細な説明】
【０００１】
【発明の属する技術分野】
本発明は、育毛剤等の容器の口部に装着して使用する多機能注出栓に関するものである。
【０００２】
【従来の技術】
頭皮に使用する育毛剤等は、口部に注出栓を装着した液体容器に収容されている。
この場合の注出栓は、通常、単に適量を振りだすだけのものであり、注出口の形状を工夫することで、その量や出具合を調整するようにしている。
【０００３】
【発明が解決しようとする課題】
しかし、この育毛剤等を頭皮へと注出した後は、指により、散らし、マッサージすることが必要があり、また、ドライヤー等により乾かすことも必要である。そこで、本発明は、注出栓において、適量を具合よく注出できるようにするとともに、散らす、マッサージする、乾かすこともできるようにしようとするものである。
【０００４】
【課題を解決するための手段】
上記目的達成のため、請求項１記載の発明は、押圧により開弁して内容物の流出を得る弁付き注出栓１と、該弁付き注出栓の周りに装着する伸縮弾性変形自在な内外二重周壁１５、１６間の環状内部空間４の先端面を形成する環状頂壁１４に、上記環状内部空間４へと連通する複数のエアノズル５を突設したマッサージ栓２とから成る。
【０００５】
請求項２の発明は、請求項１の多機能注出栓にあって、上記弁付き注出栓１につき、容器体ａの口部ｂ内周に嵌合させる注出栓本体６の頂壁７の中央に先端が弁孔８で該弁孔の内縁が弁座９の注出筒10を上方へと突設し、該注出筒内にその弁座９へ着座させる弁体11を可動に内装するとともに、該弁体の上端部中央から押圧突子12を突設して、該押圧突子を上記弁孔８に貫通遊挿させて外部へと突出させ、かつ、その弁体11の下端部にバネ13を付設して、該バネの基端部を上記注出栓本体６内下部に支持させて成る。
【０００６】
【課題を解決するための手段】
請求項３記載の発明は、請求項２の多機能注出栓にあって、上記マッサージ栓２につき、上記環状頂壁１４の内縁から垂設する内周壁１５を段階的に縮径して、該内周壁を上記注出筒１０の外周に嵌合させ、かつ、上記環状頂壁１４の外縁から垂設する外周壁１６を段階的に拡径して、該外周壁を上記注出栓本体６の上部外周に嵌合させ、また、上記複数のエアノズル５を上記環状頂壁１４に等間隔に配設して、これらのエアノズルを上記内周壁１５と外周壁１６との間の環状内部空間４へと連通させ、そして、それら全体をエラストマーにて一体成形し、更に、上記外周壁１６の下端部外周を上記容器体ａの口部ｂ外周に嵌合させる装着筒１７で押さえて成る。
【０００７】
【発明の実施の形態】
図面は、請求項１乃至請求項３の発明に係る多機能注出栓とこれを使用した容器体及びキャップを示している。
図において、ａは、育毛剤等を収容する容器体、ｂは、上記多機能注出栓を装着した該容器体の口部、ｃは、該口部の外周に周設した係合凹溝、ｄは、その口部よりもやや大径に形成した頸部、ｅは、該頸部の外周に設けた螺条、ｆは、該螺条に螺合させてその頸部ｄの外周に着脱自在に螺着したキャップである。なお、容器体は、スクイズタイプのものであってもよい。
１は、上記口部ｂに装着して押圧による開弁で内容物の流出を得る弁付き注出栓、２は、該弁付き注出栓の周りに装着した伸縮弾性変形自在なマッサージ栓、17は、上記口部ｂの外周に嵌合させて上記弁付き注出栓１及びマッサージ栓２を押さえた装着筒である。
以上の各部材は、いづれも適宜合成樹脂により成形する。
【０００８】
弁付き注出栓１は、周壁18の外周中途部に外向きフランジ19を周設して、該外向きフランジを容器体ａの口部ｂ頂面に当接させるとともに、その周壁18の下半部を容器体ａの口部ｂ内周に嵌合させる注出栓本体６を設け、該注出栓本体には、頂壁７の中央に先端が弁孔８で該弁孔の内縁が弁座９をなす注出筒10を上方へと突設し、該注出筒内にその弁座９へ着座させる弁体11を可動に内装し、該弁体の上端部中央から押圧突子12を突設して、該押圧突子を上記弁孔８に貫通遊挿させて外部へと突出させ、かつ、その弁体11の下端部につる巻きバネ13の上端を連設して、該つる巻きバネの基端を注出栓本体６の周壁18下端内縁に周設した係止突条20に係合支持させている。
【０００９】
マッサージ栓２は、上記注出筒１０よりも十分に高い内外二重筒１５、１６の先端面を形成する環状頂壁１４に、内外二重周壁１５、１６間の環状内部空間４へと連通する複数のエアノズル５を突設して成り、具体的には、環状頂壁１４の内縁から垂設する内周壁１５を段階的に縮径して、該内周壁の下部を上記注出筒１０の外周に嵌合させ、かつ、その環状頂壁１４の外縁から垂設する外周壁１６を段階的に拡径するとともに、該外周壁の下端に外向きフランジ２１を周設をして、該外向きフランジを上記注出栓本体６の外向きフランジ１９に重合させて外周壁１６の下端部を注出栓本体６の周壁１８の上半部外周に嵌合させ、また、上記複数のエアノズル５をその環状頂壁１４に等間隔に配設して、これらのエアノズルを上記内周壁１５と外周壁１６との間の内部空間４へと連通させ、そして、それら全体をエラストマーにて一体成形している。
【００１０】
装着筒17は、容器体ａの口部ｂ外周に嵌合させるリング22の上端に内向きフランジ23を、また、下端に係合突条24を周設して成り、リング22を容器体ａの口部ｂ外周に嵌合させるとともに、係合突条24をその口部ｂ外周の係合凹溝ｃに係合固定させることにより、内向きフランジ23でマッサージ栓２の外周壁16下端部外周及び外向きフランジ21を押さえるようにしている。
【００１１】
如上の構成であり、容器体ａ内には、育毛剤等を収容し、使用の都度キャップｆを螺脱させて、多機能注出栓を表出させる。
而して、図３に示すように、全体を倒立させて、マッサージ栓２の各エアノズル５を頭皮に当接させた後、容器体ａを頭皮へ向けて押圧移動させる。これにより、図４に示すように、マッサージ栓２の内周壁15及び外周壁16が注出筒10の周りに具合よく収まった状態で横に広がるようなこともなく縦方向にのみ適正に圧縮され、つまり、各エアノズル５に適正な当接姿勢を維持しつつ内部空間４が収縮して、該内部空間４内のエアが各エアノズル５から頭皮へと噴出する。
また、この際、弁付き注出栓１において、押圧突子12が押され、弁体11がつる巻きバネ13に抗して後退して弁座９から離間し、容器体ａ内の育毛剤等が弁孔８から流出する。すなわち、閉じていた弁が開弁して、注出筒10から容器体ａ内の育毛剤等が外部へと流出する。
したがって、これを定位置で或いは横移動させつつ繰り返すことにより、対峙する頭皮へ向けて適量の内容物を注出させることができ、かつ、これを各エアノズル５から噴出するエアで散らし、乾かしすることができ、併せて、該部の頭皮に対してマッサージを施すことができる。
【００１２】
【発明の効果】
請求項１、請求項２、請求項３の発明によれば、既述構成であるから、育毛剤等を収容した容器体ａの口部ｂに装着して、倒立姿勢にて要所へ押圧させることにより、その弁付き注出栓１からは適量の育毛剤等を開弁流出させることができ、また、マッサージ栓２の各エアノズル５からは内部空間４の収縮に伴いエアを噴出させることができて、該エアにより流出した育毛剤等を適度に散らし、乾かしすることができるとともに、適度なマッサージを得ることができ、使用上頗る便利重宝であり、しかも、心地よく使用できる。
【００１３】
加えて、請求項２の発明によれば、既述構成であるから、弁付き注出栓１からは適量の内容物を押圧だけで良好に、簡単かつ容易に、要所へと的確に流出させることがとでき、しかも、マッサージ栓２は、内周壁15及び外周壁16を注出筒10の周りに具合よく収まった状態で横に広がるようなこともなく縦方向にのみ適正に圧縮させることができて、各エアノズル５に適正な当接姿勢を維持しつつ各エアノズル５から頭皮へとエアを噴出させることができる。
【００１４】
また、請求項３の発明によれば、既述構成であるから、内周壁15と外周壁16とが容易にかつ迅速に、しかも、所定の適正な形態に伸縮弾性変形し、したがって、各エアノズル５からは良好なエアの噴出を得ることができる。
【００１５】
更に、請求項２、請求項３の発明によれば、既述構成であるから、少ない部材で簡潔に構成でき、容易に製造でき、安価に提供できる。
【図面の簡単な説明】
【図１】  請求項１乃至請求項３の発明に係る実施の形態を示す截断側面図である。
【図２】  同要部部材の截断斜視図である。
【図３】  同使用態勢を示す斜視図である。
【図４】  同作動状態を示す斜視図である。
【符合の説明】
１…弁付き注出栓                            ２…マッサージ栓
４…環状内部空間                            ５…エアノズル
６…注出栓本体                              ７…頂壁
８…弁孔                                    ９…弁座
１０…注出筒                                １１…弁体
１２…押圧突子                              １３…バネ
１４…環状頂壁                              １５…内周壁
１６…外周壁                                １７…装着筒
１８…周壁                                  １９…外向きフランジ
２０…係止突条                              ２１…外向きフランジ
２２…リング                                ２３…内向きフランジ
２４…係合突条                                ａ…容器体
ｂ…口部                                      ｃ…係合凹溝
ｄ…頸部                                      ｅ…螺条
ｆ…キャップ
【図１】
0003831533.tif 000002
【図２】
0003831533.tif 000003
【図３】
0003831533.tif 000004
【図４】
0003831533.tif 000005